(57)【要約】【課題】被覆部材の筺体からの容易な着脱を実現し、電気部品のさらなる集中実装を妨げにくく、かつ電子機器の薄型化、小型化の要請を満足することができる嵌合構造およびこれを備えた電子機器を提供する。【解決手段】嵌合構造における第１の被覆部材４の嵌合爪５および第２の被覆部材６の被嵌合部１０は、第１および第２の被覆部材４、６の幅方向における両端位置に設けられている。凹面部１２は、嵌合爪５から第１の被覆部材４の内側に向って延びているとともに、第２の被覆部材６の被嵌合部１０と対向する。第１の面取り部１３は、第１の被覆部材４の外面の一部を構成する側壁部８に設けられているとともに、その一部が筺体本体９の縁に当接可能である。第２の面取り部１４は、嵌合爪５の縁に設けられているとともに、第２の被覆部材６の被嵌合部１０に当接可能である。斜面部１５は、第１の被覆部材４の嵌合爪５に当接可能である。【選択図】図５
2010153230.tif 000002
【特許請求の範囲】
【請求項１】
電池収納部と電気部品収納部とを有する筺体本体と、
前記筺体本体に着脱可能な第１の被覆部材であって、前記電池収納部に向かって延びる嵌合爪と、前記嵌合爪から前記第１の被覆部材の内側に向って延びる凹面部と、前記第１の被覆部材の外面の一部を構成する側壁部に設けられた第１の面取り部と、前記嵌合爪の縁に設けられた第２の面取り部と、を有するとともに前記電池収納部を覆う第１の被覆部材と、
前記筺体本体に着脱可能な第２の被覆部材であって、前記嵌合爪に係合可能であるとともに前記電気部品収納部側とは反対の方向に延びる被嵌合部と、前記被嵌合部の縁に設けられた斜面部と、を有するとともに前記電気部品収納部を覆う第２の被覆部材と、
を有し、
前記第１の被覆部材の前記嵌合爪および前記第２の被覆部材の前記被嵌合部は前記第１および第２の被覆部材の幅方向における両端位置に設けられており、前記凹面部は前記第２の被覆部材の前記被嵌合部と対向し、前記第１の面取り部はその一部が前記筺体本体の縁に当接可能であり、前記第２の面取り部は前記第２の被覆部材の前記被嵌合部に当接可能であり、かつ、前記斜面部は前記第１の被覆部材の前記嵌合爪に当接可能である、
嵌合構造。
【請求項２】
前記第１の被覆部材は、前記第２の被覆部材と係合可能なリブを有している、請求項１に記載の嵌合構造。
【請求項３】
請求項１または２に記載の嵌合構造を備えた電子機器。
【発明の詳細な説明】
【技術分野】
【０００１】
本発明は、嵌合構造およびこれを備えた電子機器に関する。
【背景技術】
【０００２】
従来、携帯電話機器などの電子機器用の電池を収納する筺体に嵌合可能なカバーに設けられた嵌合爪は、電子機器の厚み方向に撓み易い位置である筺体中央付近に配置されていた。この嵌合爪を指で押すなどして押し下げ、その撓みを利用することで嵌合爪と筺体の嵌合部とのロックを解除する構造が広く採用されていた。
【０００３】
このような嵌合構造は、例えば特許文献１に開示されている。すなわち、図８に示すように、嵌合構造は、電池収納部３が設けられた筐体本体１と、電池収納部３をカバーするように筐体本体１に取り付けられて筐体本体１に嵌合する嵌合爪４が設けられた電池カバー２と、を備えている。さらに、筐体本体１の内面の嵌合爪４に対向した位置にリブ（爪受け部）５が設けられ、このリブ５と嵌合爪４とが当接して嵌合されている。リブ５と嵌合爪４とで構成される嵌合構造が筺体本体１の中央付近に形成されていることで、電池カバーを取り外す際に道具が不要となることで使い勝手を改善することができる。さらに、構成部品の寸法精度を和らげて量産化を図ることができる。
【特許文献１】特開２００４−３４２３３３号公報
【発明の開示】
【発明が解決しようとする課題】
【０００４】
しかしながら、筺体の中央付近に幅の大きく固定力の大きい嵌合爪を設けることは、嵌合爪のサイズだけのスペースを必要とするため、その箇所における昨今の電気部品のさらなる集中実装の要求には応えづらくなりつつある。こうした課題を解決するため、嵌合爪を筺体の周縁部に設ける嵌合構造が採用されている（図９参照）。
【０００５】
この嵌合構造では、電池収納部を覆う被覆部材とカードスロットなどの電気部品を収納する電気部品収納部を覆う被覆部材とのそれぞれに樹脂からなる嵌合手段が用いられている。この係止手段の可撓性を維持するためには、筺体の厚み方向に相応の嵌合手段の高さが必要とされる。このため、電子機器の薄型化、小型化の要請を十分に満足することができなくなってきている。
【０００６】
本発明は上記事情に鑑みてなされたものであり、被覆部材の筺体からの容易な着脱を実現し、電気部品のさらなる集中実装を妨げにくく、かつ電子機器の薄型化、小型化の要請を満足可能な嵌合構造およびこれを備えた電子機器を提供することを目的とする。
【課題を解決するための手段】
【０００７】
本発明の一態様の嵌合構造は、電池収納部と電気部品収納部とを有する筺体本体と、筺体本体に着脱可能な第１の被覆部材であって、電池収納部に向かって延びる嵌合爪と、嵌合爪から第１の被覆部材の内側に向って延びる凹面部と、第１の被覆部材の外面の一部を構成する側壁部に設けられた第１の面取り部と、嵌合爪の縁に設けられた第２の面取り部と、を有するとともに電池収納部を覆う第１の被覆部材と、筺体本体に着脱可能な第２の被覆部材であって、嵌合爪に係合可能であるとともに電気部品収納部側とは反対の方向に延びる被嵌合部と、被嵌合部の縁に設けられた斜面部と、を有するとともに電気部品収納部を覆う第２の被覆部材と、を有し、第１の被覆部材の嵌合爪および第２の被覆部材の被嵌合部は第１および第２の被覆部材の幅方向における両端位置に設けられており、凹面部は第２の被覆部材の被嵌合部と対向し、第１の面取り部はその一部が筺体本体の縁に当接可能であり、第２の面取り部は第２の被覆部材の被嵌合部に当接可能であり、かつ、斜面部は第１の被覆部材の嵌合爪に当接可能である。
【０００８】
本発明の一態様の電子機器は、上述の嵌合構造を備えている。
【発明の効果】
【０００９】
本発明に係る嵌合構造およびこれを備えた電子機器によれば、従来同様の第１および第２の被覆部材を押し下げながら係合を解除する構造の嵌合爪が第１および第２の被覆部材の両端位置に配置されている。さらに、第１の被覆部材には、嵌合爪から第１の被覆部材の内側に向って延びる凹面部、第１の被覆部材の外面の一部を構成する側壁部に設けられた第１の面取り部、および嵌合爪の縁に設けられた第２の面取り部が設けられている。また、第２の被覆部材には、被嵌合部の縁に設けられた斜面部が設けられている。これにより、第１の被覆部材の嵌合爪と第２の被覆部材の被嵌合部とが撓みやすくなる。
【００１０】
よって、カバーが嵌まるケース側の形状に嵌まりやすく、かつ抜けやすい構造を設けたりすることで筺体本体に対する被覆部材の係合性能を損なうことなく容易な着脱を実現することができる。さらに、第１の被覆部材における凹面部と、第１の面取り部および第２の面取り部と、第２の被覆部材における被嵌合部の斜面部との可撓性を有する構成により、筺体の厚み方向における各部材の高さを抑えることができる。
【００１１】
したがって、被覆部材の筺体からの容易な着脱を実現し、電気部品のさらなる集中実装を妨げにくく、かつ電子機器の薄型化、小型化の要請を満足することができる嵌合構造およびこれを備えた電子機器を提供することができる。
【発明を実施するための最良の形態】
【００１２】
以下、本発明を実施するための最良の形態について図面を参照して説明する。
【００１３】
図１に本発明の一実施形態に係る嵌合構造を有する携帯電話機器の内部実装図を示す。図２に本発明の一実施形態に係る嵌合構造を有する携帯電話機器の外観図を示す。図３に図１および図２に示す携帯電話機器における電池カバーの外観図および一部拡大図を示す。図４に図１および図２に示す携帯電話機器におけるリアカバーの外観図および一部拡大図を示す。図５に図２の線Ｃ−Ｃに沿った断面図を示す。図６に図２の線Ｄ−Ｄに沿った断面図を示す。図７に図２の線Ｅ−Ｅに沿った断面図を示す。
【００１４】
本発明の一実施形態に係る嵌合構造を備えた電子機器である携帯電話機器１は、フロントケース（筺体本体）９、電池カバー（第１の被覆部材）４、およびリアカバー（第２の被覆部材）６を有する。
【００１５】
フロントケース９は、電池収納部１６と、ＳＩＭカードスロット２およびマイクロＳＤカードスロット３などの電気部品を収納する電気部品収納部１７と、を有する。
【００１６】
電池カバー４は筺体本体９に着脱可能であるとともに電池収納部１６を覆う。さらに、電池カバー４は、嵌合爪５と、凹面部１２と、第１の面取り部１３と、第２の面取り部１４と、を備えている（図５参照）。嵌合爪５は電池カバー４の幅方向における両端位置に設けられており、かつ電池カバーの天面から電池収納部１６に向かって延びている。凹面部１２は嵌合爪５から電池カバー４の内側に向って延びており、かつリアカバー６の被嵌合部１０と対向している。第１の面取り部１３は電池カバー４の外面の一部を構成する側壁部８に設けられており、かつその一部が筺体本体９の縁に当接可能である。第２の面取り部１４は嵌合爪５の縁に設けられており、かつ被嵌合部１０に当接可能である。さらに、電池カバー４は、その中心付近に浮き防止手段としてのリブ７が設置されていてもよい。リブ７により、電池カバー４とリアカバー６との間に段差が生じすぎないようにできる。
【００１７】
リアカバー６は筺体本体９に着脱可能であるとともに電気部品収納部１７を覆う。さらに、リアカバー６は、被嵌合部１０、斜面部１５およびネジ座１１を有する。被嵌合部１０は、リアカバー６の幅方向における両端位置に設けられている。さらに、被嵌合部１０は、嵌合爪５に係合可能であるとともに電気部品収納部１７側とは反対の方向に延びている。斜面部１５は、斜面部１５は被嵌合部１０の縁に設けられているとともに、電池カバー４の嵌合爪５が支点を中心に撓む形状に合わせて電池カバー４の嵌合爪５に当接可能である。嵌合爪５の近傍にはリアカバー６とフロントケース９を固定するネジ座１１が配置されているため、嵌合時にリアカバー６の撓みは期待できない。
【００１８】
図５から図７を参照すると、カバー着脱時挙動として電池カバー４の嵌合爪５がリアカバー６に嵌まる際、電池カバー４の側壁部８とフロントケース９の合わせ目を支点に電池カバー４の天面が撓む。さらに、嵌合爪５がリアカバー６の被嵌合部１０に乗りあがることで爪がかみ、電池カバー４とリアカバー６とが固定される。さらに、電池カバー４の裏面に一段低い凹面部１２が設けられて撓みしろがとられていることで、電池カバー４の天面が撓む際、嵌合爪５の近傍にあるリアカバー６のネジ座１１によるこの撓み量を阻害しにくくなる。また、電池カバー４の天面が撓む際の支点Ｆを含む側壁８に面取り部１３があることで、電池カバー４が外側に開きやすくすることによって撓み易くすることができる。さらには、嵌合爪５には撓む際の支点Ｆから近い箇所に面取り部１４が形成されていることで、電池カバー４がリアカバー６に嵌まり易くなっている。
【００１９】
本発明に係る嵌合構造およびこれを備えた電子機器によれば、従来同様の電池カバー４およびリアカバー６を押し下げながら係合を解除する構造の嵌合爪５を電池カバー４およびリアカバー６の両端位置に配置する。さらに、電池カバー４には、嵌合爪５から電池カバー４の内側に向って延びる凹面部１２、電池カバー４の外面の一部を構成する側壁部８に設けられた第１の面取り部１３、および嵌合爪５の縁に設けられた第２の面取り部１４が設けられている。また、リアカバー６には、被嵌合部１０の縁に設けられた斜面部１５が設けられている。これにより、電池カバー４の嵌合爪５とリアカバー６の被嵌合部１０とが撓みやすくなる。
【００２０】
よって、カバー４、６が嵌まるフロントケース９側の形状に嵌まりやすく、かつ抜けやすい構造を設けたりすることでフロントケース９に対するカバー４、６の係合性能を損なうことなく容易な着脱を実現することができる。さらに、電池カバー４における凹面部１２、第１の面取り部１３および第２の面取り部１４と、リアカバー６における被嵌合部１０の斜面部１５との可撓性を有する構成により、筺体の厚み方向における各部材の高さを抑えることができる。
【００２１】
したがって、被覆部材の筺体からの容易な着脱を実現し、電気部品のさらなる集中実装を妨げにくく、かつ電子機器の薄型化、小型化の要請を満足することができる嵌合構造を提供することができる。
【図面の簡単な説明】
【００２２】
【図１】本発明の一実施形態に係る嵌合構造を有する携帯電話機器の内部実装図である。
【図２】本発明の一実施形態に係る嵌合構造を有する携帯電話機器の外観図である。
【図３】（ａ）は図１および図２に示す携帯電話機器における電池カバーの外観図であり、（ｂ）は（ａ）におけるｂ部の拡大図である。
【図４】（ａ）は図１および図２に示す携帯電話機器におけるリアカバーの外観図であり、（ｂ）は（ａ）におけるｂ部の拡大図である。
【図５】（ａ）は図２の線Ｃ−Ｃに沿った断面図であり、（ｂ）は（ａ）におけるｂ部の拡大図である。
【図６】図２の線Ｄ−Ｄに沿った断面図である。
【図７】図２の線Ｅ−Ｅに沿った断面図である。
【図８】従来の嵌合構造の一形態を有する携帯電話機器の断面図である。
【図９】従来の嵌合構造の別形態を有する携帯電話機器の断面図である。
【符号の説明】
【００２３】
１  携帯電話機器
４  電池カバー
５  嵌合爪
６  リアカバー
８  側壁部
９  フロントケース
１０  被嵌合部
１２  凹面部
１３  第１の面取り部
１４  第２の面取り部
１５  斜面部
１６  電池収納部
１７  電気部品収納部
【図１】
2010153230.tif 000003
【図２】
2010153230.tif 000004
【図３】
2010153230.tif 000005
【図４】
2010153230.tif 000006
【図５】
2010153230.tif 000007
【図６】
2010153230.tif 000008
【図７】
2010153230.tif 000009
【図８】
2010153230.tif 000010
【図９】
2010153230.tif 000011